(57)【特許請求の範囲】
【請求項１】
ゴルフクラブを提供する方法であって、
シャフト長さを備え、クラブヘッドのホーゼルに連結するように構成される、シャフトを提供することと、
前記クラブヘッドの前記ホーゼルに、前記シャフトを連結すること、
前記シャフトを連結した後に、前記シャフト長さに沿い、目標シャフトベンド高さにて、シャフトベンドを与えることと、を含み、
前記目標シャフトベンド高さが、
直線ストロークスイングスタイルか、
若干アークスイングスタイルか、または、
強いアークスイングスタイルのうちの、１つを含む、目標スイングスタイルに対応し、
前記目標シャフトベンド高さは、前記シャフトベンドにてクラブヘッド水平面に対して測定され、
前記クラブヘッド水平面は、前記クラブヘッドの打撃フェース中心点を通過し、かつ、前記クラブヘッドがアドレス位置にあるときに地面に実質的に平行である、方法。
【請求項２】
ゴルフクラブを提供する方法であって、
シャフト長さを備え、クラブヘッドのホーゼルに連結するように構成される、シャフトを提供することと、
個人の１回以上の測定されたゴルフスイングに基づき、前記個人の目標スイングスタイルを決定すること、
前記個人の前記目標スイングスタイルを決定した後に、前記シャフト長さに沿い、目標シャフトベンド高さにて、シャフトベンドを与えることと、を含み、
前記目標シャフトベンド高さが、
直線ストロークスイングスタイルか、
若干アークスイングスタイルか、または、
強いアークスイングスタイルのうちの、１つを含む、前記目標スイングスタイルに対応し、
前記目標シャフトベンド高さは、前記シャフトベンドにてクラブヘッド水平面に対して測定され、
前記クラブヘッド水平面は、前記クラブヘッドの打撃フェース中心点を通過し、かつ、前記クラブヘッドがアドレス位置にあるときに地面に実質的に平行である、方法。
【請求項３】
前記強いアークスイングスタイルについては、前記目標シャフトベンド高さが、低いシャフトベンド高さを備え、
前記若干アークスイングスタイルについては、前記目標シャフトベンド高さが、前記低いシャフトベンド高さより大きい、中間シャフトベンド高さを備え、
前記直線ストロークスイングスタイルについては、前記目標シャフトベンド高さが、前記中間シャフトベンド高さより高い、高いシャフトベンド高さを備える、請求項１又は２に記載の方法。
【請求項４】
前記シャフトベンドを与えることが、
前記目標シャフトベンド高さが前記高いシャフトベンド高さを備える場合、前記ゴルフクラブをフェースバランスハング角度に構成すること、
前記目標シャフトベンド高さが前記中間シャフトベンド高さを備える場合、前記ゴルフクラブを中間ハング角度に構成すること、
前記目標シャフトベンド高さが前記低いシャフトベンド高さを備える場合、前記ゴルフクラブをトウダウンハング角度に構成すること、を含む、請求項３に記載の方法。
【請求項５】
前記クラブヘッドがマレットタイプのパターヘッドを備える場合、
前記フェースバランスハング角度が、約１６度未満であり、
前記中間ハング角度が、約１６度〜約４８度であり、
前記トウダウンハング角度が、約４８度より大きく、
前記クラブヘッドがブレードタイプのパターヘッドを備える場合、
前記フェースバランスハング角度が、約７度未満であり、
前記中間ハング角度が、約７度〜約２３度であり、
前記トウダウンハング角度が、約２３度より大きい、請求項４に記載の方法。
【請求項６】
前記シャフトベンドがシャフトベンド角度を画定し、
前記シャフトベンド高さが、前記低いシャフトベンド高さ、前記中間シャフトベンド高さ、または前記高いシャフトベンド高さの、どれを備えるかに関わらず、前記シャフトベンド角度は同一であり、
前記シャフトベンド角度が、約１４６度〜約１７４度であり、
前記直線ストロークスイングスタイルが、約０度〜約３．５度のスイング回転を含み、
前記若干アークスイングスタイルが、約３．５度〜約７．５度のスイング回転を含み、
前記強いアークスイングスタイルが、約７．５度より大きいスイング回転を含み、
前記高いシャフトベンド高さが、前記クラブヘッド水平面の上約９５ｍｍより高く、
前記中間シャフトベンド高さが、前記クラブヘッド水平面の上約７０ｍｍ〜約１００ｍｍであり、
前記低いシャフトベンド高さが、前記クラブヘッド水平面の上約８５ｍｍ未満である、請求項３〜５のいずれか一項に記載の方法。
【請求項７】
前記シャフトベンドを与えることが、
前記シャフトベンドを、
シャフトホーゼル端を備えるシャフト下方部分と、
シャフトグリップ端を備えるシャフト上方部分との間に与えることであって、有効シャフト軸が前記シャフト上方部分の中心線に沿って延在する、与えることと、
前記シャフトが前記ホーゼルに連結すると、
前記目標スイングスタイルが、前記直線ストロークスイングスタイルを含む場合、
前記有効シャフト軸が、前記打撃フェース中心点から第１の交差距離にて、前記クラブヘッド水平面と交差し、
前記目標スイングスタイルが前記若干アークスイングスタイルを含む場合、
前記有効シャフト軸が、前記打撃フェース中心点から第２の交差距離にて、前記クラブヘッド水平面と交差し、
前記第２の交差距離は前記第１の交差距離よりも大きく、
前記目標スイングスタイルが前記強いアークスイングスタイルを含む場合、
前記有効シャフト軸が、前記打撃フェース中心点から第３の交差距離にて、前記クラブヘッド水平面と交差し、
前記第３の交差距離が前記第２の交差距離よりも大きくなるように、シャフトベンドを与えることと、を含む、請求項１〜６のいずれか一項に記載の方法。
【請求項８】
前記目標スイングスタイルが、前記直線ストロークスイングスタイルを含む場合、
前記打撃フェース中心点からの前記第１の交差距離が約１．８ｍｍ未満であり、
前記目標スイングスタイルが前記若干アークスイングスタイルを含む場合、
前記打撃フェース中心点からの前記第２の交差距離が約１．８ｍｍ〜約１６．５ｍｍであり、
前記目標スイングスタイルが前記強いアークスイングスタイルを含む場合、
前記打撃フェース中心点からの前記第３の交差距離が約１６．５ｍｍより大きい、請求項７に記載の方法。
【請求項９】
前記目標スイングスタイルが、前記直線ストロークスイングスタイルを含む場合、
前記第１の交差距離と、前記クラブヘッドのヒールおよびトウ端の間に延在するクラブヘッド長さとの間の、第１の交差比率が、約０．０５未満であり、
前記目標スイングスタイルが前記若干アークスイングスタイルを含む場合、
前記第２の交差距離と前記クラブヘッド長さとの間の、第２の交差比率が、約０．０５〜約０．１５５であり、
前記目標スイングスタイルが前記強いアークスイングスタイルを含む場合、
前記第３の交差距離と前記クラブヘッド長さとの間の、第３の交差比率が、約０．１５５より大きい、請求項７又は８に記載の方法。
【発明の詳細な説明】
【技術分野】
【０００１】
本開示は、概してスポーツ用品に関し、より具体的には、カスタマイズ可能ハング角度ゴルフクラブ、システム、および関連方法に関する。
【０００２】
（関連出願の相互参照）
本出願は、２０１２年１０月１０日に米国特許商標庁に出願の、米国特許出願第１３／６４８，９２７号の利益を主張する、国際特許出願である。
【背景技術】
【０００３】
ゴルフのような、いくつかのスポーツは、選択され得る、または個人の特徴もしくは好みに特別に適合させ得る、特性を伴う、用品を必要とする。例えば、推奨されるクラブシャフトおよび／またはクラブヘッドは、技術、年齢、または身長等の、個人の特徴に基づいて変化し得る。しかしながら、一度組み立てると、通常ゴルフクラブは、固定した変更不可能な特徴を有する。結果的に、個人に適切な用品を決定するとき、例えば、クラブシャフトおよびクラブヘッドの異なる組み合わせを試験するために、不必要に多数のゴルフクラブが使用可能でなくてはならない。かかる欠点は、ゴルフクラブ構成部品の必要とされる量を予測するおよび維持することに関して、問題を生む。上記を考慮すると、カスタマイズ可能ゴルフクラブ、システム、および関連方法に関するさらなる開発が、現在のゴルフクラブ技術のかかる短所を改良および／またはそれに対処し得る。
【図面の簡単な説明】
【０００４】
本開示は、付随の図と併せて、以下の実施形態の実施例の詳細な説明を読むことにより、より良好に理解され得る。
【図１】第１のゴルフクラブヘッドと、第１のシャフトベンドを有する第１のゴルフクラブシャフトと、を備える第１のゴルフクラブの上面図を示す。
【図２】第１のゴルフクラブヘッドと、第２のシャフトベンドを有する第１のゴルフクラブシャフトと、を備える第２のゴルフクラブの上面図を示す。
【図３】第１のゴルフクラブヘッドと、第３のシャフトベンドを有する第１のゴルフクラブと、を備える第３のゴルフクラブの上面図を示す。
【図４】図１の第１のゴルフクラブの正面図を示す。
【図５】図２の第２のゴルフクラブの正面図を示す。
【図６】図３の第３のゴルフクラブの正面図を示す。
【図７】図１および４の第１のゴルフクラブの正面図を示す。
【図８】図２および５の第２のゴルフクラブの正面図を示す。
【図９】図３および６の第３のゴルフクラブの正面図を示す。
【図１０】本開示に従うゴルフクラブを提供、形成、および／または製造するために使用され得る方法の流れ図を示す。
【０００５】
例証の簡素性および明確性のために、図表は構造物の概略的様式を例証し、公知の特性および技術の、説明および詳細は、本開示を不必要に曖昧にすることを避けるために、省略され得る。さらに、図表内の要素は、必ずしも正しい縮尺で描かれない。例えば、本開示の実施形態の理解の改善に役立つために、図内の要素のいくつかの寸法は、他の要素に対して誇張されてよい。異なる図における同じ参照番号は、同じ要素を示す。
【０００６】
説明内および請求項内の、「第１の」、「第２の」、「第３の」、「第４の」等の用語は、もしあれば、類似する要素の区別に使用され、必ずしも特定の逐次的または経時的順序の記載に使用されない。そのように使用される用語は、適切な状況下では交換可能であり、よって、本明細書に記載される実施形態は、例えば、本明細書に例証されるまたは他の方法で記載されるものとは異なる順序で操作可能である。さらに、「含む」および「有する」という用語ならびにそれらの任意の変化形は、非排他的包含を網羅することが意図され、よって、要素の一覧を含む、プロセス、方法、システム、物品、デバイス、もしくは装置が、それらの要素に必ずしも限られず、明示的に列記されない、または、かかるプロセス、方法、システム、物品、デバイス、もしくは装置に固有の他の要素を含んでよい。
【０００７】
説明内および請求項内の、「左」、「右」、「前」、「後」、「上部」、「下部」、「〜の上」、「〜の下」等の用語は、もしあれば、説明目的に使用され、必ずしも永久相対位置を説明するために使用されない。そのように使用される用語は、適切な条件下では交換可能であり、よって、本明細書に記載される装置、方法、および／または製造物品の実施形態は、例えば、本明細書に例証されるまたは他の方法で記載されるものとは別の配向で操作可能である。
【０００８】
「連結」、「連結される」、「連結する」、「連結すること」等の用語は、広範に理解されるべきであり、２つ以上の要素を機械的にまたは別の方法で接続することを指す。連結（機械的または別の方法に関わらず）は、任意の長さの時間、例えば、永久もしくは半永久、または瞬間のみ、であってよい。
【０００９】
「連結」等の語の近くの「取り外し可能に」、「取り外し可能」等の語の欠如は、対象の該結合等が、取り外し可能であること、または取り外し可能でないことを意味するものではない。
【発明を実施するための形態】
【００１０】
いくつかの実施例では、ゴルフクラブはクラブヘッドとシャフトとを備え得る。該クラブヘッドは、ヒール部分と、トウ部分と、ホーゼルと、打撃フェース中心点を備える打撃フェースと、該打撃フェース中心点を通って延在するクラブヘッド水平面と、を備え得る。該シャフトは、該ホーゼルに連結され得、シャフトホーゼル端を備えるシャフト下方部分と、シャフトグリップ端を備えるシャフト上方部分とを備え得る。有効シャフト軸は、シャフト上方部分の中心線に沿って延在し得る。該シャフトは、（１）直線ストロークスイングスタイルに対応する第１のベンド、（２）若干アークスイングスタイルに対応する第２のベンド、または（３）強いアークスイングスタイルに対応する第３のベンド、のうちの１つを備えるシャフトベンドを受容および保持するように構成可能であり得る。該シャフトベンドは、該シャフトの長さに沿い、シャフト上方部分とシャフト下方部分との間で位置付け可能である。該シャフトベンドは、クラブヘッド水平面の上にシャフトベンド高さを備え得る。該クラブヘッド水平面は、有効シャフト軸の垂直構成部品に実質的に垂直であるか、または、クラブヘッドがアドレス位置にあるときに地面に実質的に平行であるかのうちの、少なくとも１つであり得る。
【００１１】
同じまたは他の実施例では、ゴルフクラブシステムは、第１のゴルフクラブのための第１のクラブヘッドおよび第１のシャフト、ならびに、第２のゴルフクラブのための第２のクラブヘッドおよび第２のシャフトを備え得る。第１のクラブヘッドは、第１のホーゼルと、第１の打撃フェース中心点を伴う第１の打撃フェースと、第１の打撃中心点を通る第１のクラブヘッド水平面と、を備え得る。第１のシャフトは、第１のクラブヘッド水平面の上の第１のベンド高さに位置付けられる、第１のシャフトベンドを備え得る。第２のクラブヘッドは、第２のホーゼルと、第２の打撃フェース中心点を伴う第２の打撃フェースと、第２の打撃フェース中心点を通る第２のクラブヘッド水平面と、を備え得る。第２のシャフトは、第２のクラブヘッド水平面の上の第２のベンド高さに位置付けられる、第２のシャフトベンドを備え得る。第１および第２のクラブヘッドは、互いに実質的に等しくあり得る。第１および第２のシャフトベンド高さは、互いに異なり得る。第１および第２のシャフトは、前記第１および第２のベンド高さに関してを除き、互いに実質的に等しくあり得る。第１のシャフトベンドは、第１のゴルフクラブに第１のハング角度を与えるように構成され得、第１のハング角度は、フェースバランスハング角度、中間ハング角度、またはトウダウンハング角度のうちの第１のものを含む。第２のシャフトベンドは、第２のゴルフクラブに第２のハング角度を与えるように構成され、第２のハング角度は、第１のハング角度とは異なり、フェースバランスハング角度、中間ハング角度、またはトウダウンハング角度のうちの第２のものを含む。
【００１２】
いくつかの実施では、ゴルフクラブを提供する方法は、シャフト長さを備え、クラブヘッドのホーゼルに連結するように構成されたシャフトを提供することと、シャフト長さに沿って目標シャフトベンド高さにてシャフトベンドを与えることと、を含み得る。該目標シャフトベンド高さは、直線ストロークスイングスタイル、若干アークスイングスタイル、または強いアークスイングスタイル、のうちの１つを含む、目標スイングスタイルに対応し得る。目標シャフトベンド高さは、シャフトベンドにてクラブヘッド水平面に対して測定され得る。クラブヘッド水平面は、クラブヘッドの打撃フェース中心点を通過し得、シャフトによって画定される有効シャフト軸の垂直構成部品に実質的に垂直であるか、クラブヘッドがアドレス位置にあるときに地面に実質的に平行であるか、のうちの少なくとも１つであり得る。
【００１３】
他の実施例および実施形態がさらに本明細書に開示される。かかる実施例および実施形態は、図、請求項、および／または本説明において見られ得る。
【００１４】
図を参照すると、図１は、ゴルフクラブヘッド１１００と、ゴルフクラブヘッド１１００のホーゼル１１１０を介してクラブヘッド１１００に連結したゴルフクラブシャフト１２００と、を備えるゴルフクラブ１０００の上面図を示す。図２は、ゴルフクラブヘッド１１００と、ゴルフクラブシャフト１２００とを備える、ゴルフクラブ２０００の上面図を示す。図３は、ゴルフクラブヘッド１１００と、ゴルフクラブシャフト１２００とを備える、ゴルフクラブ３０００の上面図を示す。ホーゼル１１１０は、クラブヘッド１１００の内側に空洞または穴を備えるが、少なくとも部分的に外側であるホーゼルを伴う他の実施形態があり得る。図１〜３の実施形態では、ゴルフクラブ１０００、２０００、および３０００のそれぞれは、ゴルフクラブヘッド１１００と、ゴルフクラブシャフト１２００とを備える。例えば、ゴルフクラブ１０００、２０００、および３０００の、ゴルフクラブヘッド１１００は、同じモデルであり得、および／または、クラブヘッド製造公差内で実質的に互いと同じに作製され得る。同様に、ゴルフクラブ１０００、２０００、および３０００の、ゴルフクラブシャフト１２００は、同じモデルであり得、および／または、シャフト製造公差内で実質的に互いと等しく作製され得る。にもかかわらず、ゴルフクラブ１０００、２０００、および３０００は、それらのそれぞれのゴルフクラブシャフト１２００上に与えられるシャフトベンドに関しては、互いに構造的に異なる。例えば、ゴルフクラブヘッド１０００のシャフト１２００はシャフトベンド１００を備え、ゴルフクラブヘッド２０００のシャフト１２００はシャフトベンド２００を備え、ゴルフクラブヘッド３０００のシャフト１２００はシャフトベンド３００を備え、シャフトベンド１００、２００、および３００は、互いに異なる。
【００１５】
図１〜３は、水平軸１９００に対する均衡において、それぞれゴルフクラブ１０００、２０００、および３０００を示す。シャフトベンド１００、２００、および３００の間の差異の結果として、ゴルフクラブ１０００、２０００、および３０００のそれぞれは、水平軸１９００に対して異なるハング角度を示す。いくつかの実施例では、ゴルフクラブのハング角度を測定するために、シャフトが水平面に沿ってバランスを取るように、およびゴルフクラブのクラブヘッドの重心が重力に対して整列する際にシャフトがシャフト縦軸の周囲を自由に回転できるように、ゴルフクラブは、均衡に固定され得る。ハング角度は、その後、水平面とゴルフクラブの打撃フェースとの間で測定され得る。したがって、図１のゴルフクラブ１０００は、打撃フェース１１５０と水平軸１９００との間に、ハング角度１８００を備え、ハング角度１８００は、シャフトベンド１００から生じるフェースバランスハング角度を備える。図２のゴルフクラブ２０００は、打撃フェース１１５０と水平軸１９００との間に、ハング角度２８００を備え、ハング角度２８００は、シャフトベンド２００から生じる中間ハングハング角度を備える。図３のゴルフクラブ３０００は、打撃フェース１１５０と水平軸９００との間に、ハング角度３８００を備え、ハング角度３８００は、シャフトベンド３００から生じるトウダウンハング角度を備える。
【００１６】
いくつかの実施例では、クラブヘッド１１００は、ブレードタイプのパターヘッドを備え得、よって、トウダウンハング角度３８００（図３）は、約４８度より大きく画定され得、中間ハングハング角度２８００（図２）は、約１６度〜約４８度に画定され得、および／または、フェースバランスハング角度１８００（図１）は、約１６度未満に画定され得る。
【００１７】
しかしながら、クラブヘッド１１００が別のスタイルのクラブヘッドを備える、他の実施例もあり得る。例えば、クラブヘッド１１００は、マレットタイプのパターヘッドを代わりに備え得、よって、トウダウンハング角度３８００（図３）は、約２３度より大きく画定され得、中間ハングハング角度２８００（図２）は約７度〜約２３度に画定され得、および／または、フェースバランスハング角度１８００（図１）は、約７度未満に画定され得る。
【００１８】
ブレードタイプのパターヘッドおよびマレットタイプのパターヘッドは、それぞれの重心に異なる位置を有するため、異なるハング角度範囲を有する。例えば、マレットタイプのパターヘッドの重心は、ブレードタイプのパターヘッドの重心よりも、打撃フェースからはるかに後ろにある。打撃フェースから重心の距離を増加することによって、達成可能なハング角度の範囲が減少し、より小さいハング角度変化は、クラブヘッド回転または搬送により大きい影響を有する。
【００１９】
図１〜３の実施形態は、いくつかの実施における具体的ゴルフスイングスタイルに対応するように選択され得る。個人をゴルフクラブに適合させるとき、例えば、クラブヘッドの打撃フェースの、ゴルフクラブシャフトの周囲のスイング回転を決定するために、個人の１回以上のゴルフスイングが測定され得る。かかるスイング回転または他の測定されるスイング特徴は、該個人の測定されるスイングスタイルを確立するために使用され得、いくつかの実施では、直線ストロークスイングスタイル、若干アークスイングスタイル、および／または、強いアークスイングスタイルとして分類され得る。いくつかの実施例では、直線ストロークスイングスタイルは、約０度〜約３．５度のスイング回転を含み得、若干アークスイングスタイルは、約３．５度〜約７．５度のスイング回転を含み得、および／または、強いアークスイングスタイルは、約７．５度より大きいスイング回転を含む。
【００２０】
かかる分析に基づき、ゴルフクラブは、対応するゴルフクラブのシャフトベンドの選択または調節により、個人のために選択または調節され得る。例えば、ゴルフクラブ１０００のシャフトベンド１００は、適合される個人のための、直線ストロークスイングスタイルに適切なまたはそれに対応する、フェースバランスハング角度１８００等の、スイング特徴を、ゴルフクラブ１０００に与えるように構成され得る。同様に、ゴルフクラブ２０００のシャフトベンド２００は、適合される個人のための、若干アークスイングスタイルに適切なまたはそれに対応する、中間ハングハング角度２８００等の、スイング特徴を、ゴルフクラブ２０００に与えるように構成され得る。さらに、ゴルフクラブ１０００のシャフトベンド３００は、適合される個人のための、強いアークスイングスタイルに適切なまたはそれに対応する、フェースバランスハング角度３８００等の、スイング特徴を、ゴルフクラブ３０００に与えるように構成され得る。
【００２１】
図１〜３の本実施形態では、シャフト１２００は、それらの対応するシャフトベンド１００、２００、または３００を、変形または曲げの際に、受容および保持するように構成可能である。例えば、シャフト１２００は、製造の際に、シャフトベンド１００、２００、または３００のいずれをも有さず、互いに実質的に等しい状態から開始し得、その後、所望のシャフトベンド１００、２００、または３００を達成するために、変形または曲げによって修正され得る。同じまたは他の実施例では、かかる変形または曲げは、個人のスイングスタイルが測定されたまたはそうでなければ分かった後で、個人が適合される適合場所にて、または具体的なシャフトベンドの注文の領収したときの調節場所にて、シャフトに適用され得る。シャフト１２００は、所望のシャフトベンド１００、２００、または３００を達成するために、クラブヘッド１１００に連結される前または後に、変形され得るまたは曲げられ得る。異なるパフォーマンスまたはスイングスタイル要件に適合するゴルフクラブを達成するために、修正可能な、共通ゴルフクラブヘッドおよび共通シャフトを信頼できることで、製造業者および小売業者の両方にとって、製造および／または在庫管理を、容易にするまたは簡素化することができる。所望の場合、シャフト１２００が、シャフトベンド１００、２００、または３００を備えるために、工場で製造され得る実施例もまたあり得る。
【００２２】
図４は、シャフト１２００をシャフト上方部分１２１０およびシャフト下方部分１２２０に分割するように位置付けられる、シャフトベンド１００を伴う、ゴルフクラブ１０００の正面図を示し、シャフト上方部分１２１０は、シャフト１２００のシャフトグリップ端を備え、シャフト下方部分１２２０は、シャフト１２００のシャフトホーゼル端を備える。シャフト上方部分１２１０は、その縦中心線を通って延在するシャフト軸４２１１を備え、シャフト軸４２１１は、垂直構成部品４２１１１等の、対応する水平および垂直構成部品に、幾何学的に細分され得る。図５は、シャフト上方部分２２１０（シャフトグリップ端を有する）とシャフト下方部分２２２０（シャフトホーゼル端を有する）との間に位置する、シャフト１２００を分割するように位置付けられる、シャフトベンド２００を伴う、ゴルフクラブ２０００の正面図を示す。図６は、シャフト上方部分３２１０（シャフトグリップ端を有する）とシャフト下方部分３２２０（シャフトホーゼル端を有する）との間の、シャフト１２００を分割するように位置付けられる、シャフトベンド３００を伴う、ゴルフクラブ３０００の正面図を示す。
【００２３】
図４〜６に見られるように、クラブヘッド１１００は、クラブヘッド１１００のヒール部分１１６０およびトウ部分１１７０を横切り、打撃フェース１１５０の打撃フェース中心点４１５０を通過する、クラブヘッド水平面４９００を備える。いくつかの実施例では、図４〜６に見られるように、ゴルフクラブ１０００がゴルフアドレス位置にあるとき、水平面４９００は、地面４５００に実質的に平行であり得る。同じまたは他の実施例では、水平面４９００は、シャフト軸４２１１の垂直構成部品４２１１１に実質的に垂直であり得、垂直構成部品４２１１１は、ホーゼル１１１０の上部端に実質的に垂直であり得、打撃フェース１１５０の上部端に実質的に垂直であり得、および／または、いくつかの実施では、ゴルフクラブ１０００がアドレス位置にあるとき、地面４５００に実質的に垂直であり得る。
【００２４】
いくつかの実施例では、打撃フェース中心点４１５０は、打撃フェース１１５０の幾何学的中心点、打撃フェース１１５０の打撃プレートの幾何学的中心点、および／またはクラブヘッド１１００の正面端の幾何学的中心点に位置付けられ得る。同じまたは他の実施例では、打撃フェース中心点４１５０は、全米ゴルフ協会（ＵＳＧＡ）等のゴルフ運営組織の定義に従って、位置付けられ得る。例えば、打撃フェース中心点４１５０は、ＵＳＧＡのＰｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ（ＵＳＧＡ−ＴＰＸ３００４，Ｒｅｖ．１．０．０，Ｍａｙ  １，２００８）の第６節１に従って決定され得る。（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｐｒｏｃｅｄｕｒｅ−Ｆｏｒ−Ｍｅａｓｕｒｉｎｇ−Ｔｈｅ−Ｆｌｅｘｉｂｉｌｉｔｙ−Ｏｆ−Ａ−Ｇｏｌｆ−Ｃｌｕｂ−Ｈｅａｄ／で入手可能）。
【００２５】
図４〜６に見られるように、シャフトベンド１００は、ゴルフクラブ１０００（図４）のシャフトベンド角度４０１を画定し、シャフトベンド２００は、ゴルフクラブ２０００（図５）のシャフトベンド角度５０１を画定し、シャフトベンド３００は、ゴルフクラブ３０００（図６）のシャフトベンド角度６０１を画定し、シャフトベンド角度４０１（図４）、５０１（図５）、および６０１（図６）は、ゴルフクラブ１０００（図１、４）、２０００（図２、５）、および３０００（図３、６）において、実質的に互いに等しい。いくつかの実施例では、シャフトベンド角度４０１、５０１、および／または６０１は、約１４６度〜約１７４度であり得る。
【００２６】
しかしながら、それらのそれぞれの、クラブヘッド水平面４９００に対する高さに関しては、シャフトベンド１００（図４）、２００（図５）、および３００（図６）は、互いに異なる。例えば、ゴルフクラブ１０００は、クラブヘッド水平面４９００（図４）の上のシャフトベンド高さ４１００に位置付けられるシャフトベンド１００を備え得、いくつかの実施では、シャフトベンド高さ４１００は、クラブヘッド水平面４９００の上約９５ｍｍよりも高くあり得る。ゴルフクラブ２０００は、クラブヘッド水平面４９００（図５）の上のシャフトベンド高さ５２００に位置付けられる、シャフトベンド２００を備え得、いくつかの実施では、シャフトベンド高さ５２００は、クラブヘッド水平面４９００の上約７０ｍｍ〜約１００ｍｍであり得る。ゴルフクラブ３０００は、クラブヘッド水平面４９００（図６）の上のシャフトベンド高さ６３００に位置付けられる、シャフトベンド３００を備え得、いくつかの実施では、シャフトベンド高さ６３００は、クラブヘッド水平面４９００の上約８５ｍｍ未満であり得る。シャフトベンド高さ４１００（図４）は、シャフトベンド高さ５２００（図５）よりも高く、シャフトベンド高さ５２００はシャフトベンド高さ６３００（図６）よりも高い。いくつかの実施例では、シャフトベンド高さ４１００（図４）は、高いベンド高さと称され得、シャフトベンド高さ５２００（図５）は、中間ベンド高さと称され得、シャフトベンド高さ６３００（図６）は低いベンド高さと称され得る。本実施例では、シャフトベンド高さ４１００（図４）、シャフトベンド高さ５２００（図５）、およびシャフトベンド高さ６３００（図６）は、シャフトのホーゼル端に向かう任意の更なるベンド（複数可）に関係なく、シャフトのシャフトグリップ端に最も近いシャフトベンドに関して、測定される。同じまたは他の実施例では、ゴルフクラブ１０００（図１、４）、ゴルフクラブ２０００（図２、３）、および／またはゴルフクラブ３０００（図３、６）のそれぞれの、ゴルフクラブシャフト１２００は、ＵＳＧＡのＲｕｌｅｓ  ｏｆ  Ｇｏｌｆ（ｈｔｔｐ：／／ｗｗｗ．ｕｓｇａ．ｏｒｇ／ｕｐｌｏａｄｅｄＦｉｌｅｓ／ＵＳＧＡＨｏｍｅ／ｒｕｌｅｓ／ＣｏｍｐｌｅｔｅＲＯＧｂｏｏｋ．ｐｄｆにて入手可能）の別表ＩＩの第２節ａに準拠し得、これは、「シャフトは、シャフトが、シャフトおよびネックおよび／またはソケットの、ベント部の軸に沿って直線でなくなる点から測定して、グリップの上部からソールの上５インチ（１２７ｍｍ）以下の点まで直線でなくてはいけない」ということを必要とする。
【００２７】
同じまたは他の実施例では、シャフトベンド１００のシャフトベンド高さ４１００の高いベンド高さは、測定される個人のスイングスタイルが、直線ストロークスイングスタイルである状況等において、ゴルフクラブ１０００に、フェースバランスハング角度１８００（図１）を与えるように構成され得る。同様に、シャフトベンド２００のシャフトベンド高さ５２００の中間ベンド高さは、測定される個人のスイングスタイルが、若干アークスイングスタイルである状況等において、ゴルフクラブ２０００に、中間ハング角度２８００（図２）を与えるように構成され得る。さらに、シャフトベンド３００のシャフトベンド高さ６３００の低いベンド高さは、測定される個人のスイングスタイルが、強いアークスイングスタイルである状況等において、ゴルフクラブ３０００に、トウダウンハング角度３８００（図３）を与えるように構成され得る。
【００２８】
図４に見られるように、ゴルフクラブ１０００のシャフト上方部分１２１０は、シャフト上方部分１２１０の縦中心線を通って延在するシャフト軸４２１１を備え、打撃フェース１１５０の打撃フェース中心点４１５０から離れて交差距離４２１５にて、クラブヘッド水平面４９００に交差するために、シャフトベンド１００を過ぎて直線に続く。同様に、図５に見られるように、ゴルフクラブ２０００のシャフト上方部分２２１０は、シャフト上方部分２２１０の縦中心線を通って延在するシャフト軸５２１１を備え、打撃フェース１１５０の打撃フェース中心点４１５０から交差距離５２１５にて、クラブヘッド水平面４９００に交差するために、シャフトベンド２００を過ぎて直線に続く。さらに、図６に見られるように、ゴルフクラブ３０００のシャフト上方部分３２１０は、シャフト上方部分３２１０の縦中心線を通って延在するシャフト軸６２１１を備え、打撃フェース１１５０の打撃フェース中心点４１５０から離れて交差距離６２１５にて、クラブヘッド水平面４９００に交差するために、シャフトベンド３００を過ぎて直線に続く。いくつかの実施例では、シャフト軸４２１１（図４）、５２１１（図５）、および６２１１（図６）は、それぞれゴルフクラブ１０００、２０００、および３０００の「有効」シャフト軸と称され得、これは、かかるゴルフクラブは、それらのそれぞれのシャフトが、ホーゼル１１１０の位置に取り付けられるというよりも、打撃フェース中心点４１５０から、それぞれ交差距離４２１５（図４）、５２１５（図５）、または６２１５（図６）に近接するクラブヘッド１１００の上部に取り付けられるかのように、実質的に機能することがあるためである。
【００２９】
本実施例では、ゴルフクラブ３０００（図６）の交差距離６２１５は、ゴルフクラブ２０００（図２）の交差距離５２１５よりも大きく、ゴルフクラブ２０００（図２）の交差距離５２１５はゴルフクラブ１０００（図１）の交差距離４２１５よりも大きく、交差距離４２１５、５２１５、および６２１５の間のかかる差異は、シャフトベンド１００（図４）、２００（図５）、および３００（図６）のシャフトベンド高さ４１００、５２００、および６３００によって、それぞれ指定される。いくつかの実施では、交差距離４２１５（図４）は、約１．８ｍｍ未満であり得る。いくつかの実施では、交差距離５２１５（図５）は、約１．８ｍｍ〜約１６．５ｍｍであり得る。いくつかの実施では、交差距離６２１５（図６）は、約１６．５ｍｍより大きくあり得る。
【００３０】
上記を考慮すると、シャフトベンド高さは、所望のハング角度範囲を達成するためおよび／または所望のスイングスタイルに適応するため等に、クラブヘッドの打撃フェース中心点に対する有効シャフト軸の交差距離を調節するために使用され得る。例えば、交差距離５２１５（図５）は、ゴルフクラブ２０００上に中間ハングハング角度（ハング角度２８００（図２）等）を与えることに適切な、および／または、若干アークスイングスタイルのためにゴルフクラブ２０００を構成することに適切な、位置にて、シャフト軸５２１１を打撃フェース中心点４１５０に対して、配置する。対照的に、交差距離４２１５（図４）は、シャフト軸４２１１を打撃フェース中心点４１５０に相対的により近くに配置し、よってフェースバランスハング角度（ハング角度１８００（図１）等）をゴルフクラブ１０００上に与えることに適切であり、および／または、直線ストロークスイングスタイルのためにゴルフクラブ１０００を構成することに適切である。この部分用に、交差距離６２１５（図６）に関しては、シャフト軸６２１１を打撃フェース中心点４１５０から相対的により遠くに配置し、よってトウダウンハング角度（ハング角度３８００（図３）等）をゴルフクラブ３０００上に与えることに適切であり、および／または、強いアークスイングスタイルのためにゴルフクラブ３０００を構成することに適切である。
【００３１】
いくつかの実施では、シャフトベンド高さは、シャフト交差距離を、打撃フェース中心点に対して固定または調節するために使用され得、クラブヘッドのクラブヘッド長さに対する、シャフト交差距離の所望の交差比率を確立する。かかる実施では、クラブヘッド長さは、クラブヘッドの反対ヒールとトウ端との間で測定され得る。例えば、図４〜６に見られるように、クラブヘッド１１００は、その反対ヒールとトウ端との間に、クラブヘッド長さ４１４０を備える。
【００３２】
したがって、図４の実施形態に関しては、ゴルフクラブ１０００は、クラブヘッド長さ４１４０を渡る交差距離４２１５の交差比率を備え、かかる交差比率は、いくつかの実施例では約０．０５未満であり得、かかる交差比率は、ゴルフクラブ１０００上にフェースバランスハング角度（ハング角度１８００（図１）等）を確立し得、および／または、かかる交差比率は、直線ストロークスイングスタイルのためにゴルフクラブ１０００を構成し得る。図５の実施形態に関しては、ゴルフクラブ２０００は、クラブヘッド長さ４１４０を渡る交差距離５２１５の交差比率を備え、かかる交差比率は、いくつかの実施例では約０．０５〜約０．１５５であり得、かかる交差比率は、ゴルフクラブ２０００上に中間ハングハング角度（ハング角度２８００（図２）等）を確立し得、および／または、かかる交差比率は、若干アークスイングスタイルのためにゴルフクラブ２０００を構成し得る。図６の実施形態に関しては、ゴルフクラブ３０００は、クラブヘッド長さ４１４０を渡る交差距離６２１５の交差比率を備え、かかる交差比率は、いくつかの実施例では約０．１５５より大きくあり得、かかる交差比率は、ゴルフクラブ３０００上にトウダウンハング角度（ハング角度３８００（図３）等）を確立し得、および／または、かかる交差比率は、強いアークスイングスタイルのためにゴルフクラブ３０００を構成し得る。
【００３３】
図７は、シャフト軸４２１１を、打撃フェース１１５０に対して、ずれ（オフセット）距離７２１６にて位置付ける、シャフトベンド１００のシャフトベンド高さ４１００を伴う、ゴルフクラブ１０００のヒール側の図を示す。図８は、シャフト軸５２１１を、打撃フェース１１５０に対して、ずれ距離８２１６にて位置付ける、シャフトベンド２００のシャフトベンド高さ５２００を伴う、ゴルフクラブ２０００のヒール側の図を示す。図９は、シャフト軸６２１１を、打撃フェース１１５０に対して、ずれ距離９２１６にて位置付ける、シャフトベンド３００のシャフトベンド高さ６３００を伴う、ゴルフクラブ３０００のヒール側の図を示す。
【００３４】
図７〜９に見られるように、シャフトベンド１００、２００、および３００の異なるシャフトベンド高さは、クラブヘッド１０００、２０００、および３０００に、それぞれ、異なるずれ距離７２１６、８２１６、および９２１６を与える。図７〜９の本実施例については、シャフトベンド高さが高いほど、有効シャフト軸と打撃フェースとの間のずれ距離は大きい。したがって、異なるオフセットは、適切なシャフトベンド高さを与えることにより、同じゴルフクラブヘッドおよび同じゴルフクラブシャフトを使用しながら、達成され得る。例えば、ゴルフクラブ３０００（図９）における、シャフト軸６２１１と打撃フェース１１５０との間のずれ距離９２１６は、シャフトベンド３００のシャフトベンド高さ６３００を介して、選択され得、ゴルフクラブ３０００上にトウダウンハング角度（ハング角度３８００（図３）等）を確立する、および／または、強いアークスイングスタイルのためにゴルフクラブ３０００を構成する。同様に、ゴルフクラブ２０００（図８）における、シャフト軸５２１１と打撃フェース１１５０との間のずれ距離８２１６は、シャフトベンド２００のシャフトベンド高さ５２００を介して、選択され得、ずれ距離９２１６より大きくなる、および／または、ゴルフクラブ２０００上に中間ハングハング角度（ハング角度２８００（図２）等）を確立する、および／または、若干アークスイングスタイルのためにゴルフクラブ２０００を構成する。さらに、ゴルフクラブ１０００（図７）における、シャフト軸４２１１と打撃フェース１１５０との間のずれ距離７２１６は、シャフトベンド１００のシャフトベンド高さ４１００を介して、選択され得、ずれ距離８２１６より大きくなり、および／または、ゴルフクラブ１０００上にフェースバランスハング角度（ハング角度１８００（図１）等）を確立し、および／または、直線ストロークスイングスタイルのためにゴルフクラブ１０００を構成する。ずれ距離７２１６、８２１６、および９２１６は、打撃フェース中心点４１５０に垂直で、ゴルフクラブヘッド１１００の前方を向く、正のずれ方向に対して画定され得る。
【００３５】
図１〜９の本実施形態では、クラブヘッド水平面４９００に対する、シャフト下方部分の角度は、ホーゼル１１１０によって固定され、ゴルフクラブヘッド１０００（図１、４、７）、２０００（図２、５、８）、および３０００（図３、６、９）のそれぞれについて、実質的に同じである。いくつかの実施では、シャフト下方部分１２２０（図１、４、７）、２２２０（図２、５、８）、および３２２０（図３、６、９）は、約７０度〜約１００度のシャフト対打撃フェース角度７２２２（図７）、および約１０５度〜約７５度のシャフト対ヒール角度４２２１（図４）からなる。同じまたは他の実施例では、シャフト対打撃フェース角度７２２２は、約８２度であり得、シャフト対ヒール角度４２２１（図４）は、約８８度であり得る。シャフト対打撃フェース角度７２２２（図７）およびシャフト対ヒール角度４２２１（図４）は、図面で、クラブヘッド水平面４９００に対して鋭角に示されるが、シャフト対打撃フェース角度７２２２およびシャフト対ヒール角度４２２１のうちの、１つまたは両方が鋭角でない実施形態があってよい。
【００３６】
図１０は、本開示に従うゴルフクラブを提供、形成、および／または製造するために使用され得る方法１００００の流れ図を示す。いくつかの実施例では、方法１００００のゴルフクラブは、ゴルフクラブ１０００（図１、４、７）、ゴルフクラブ２０００（図２、５、８）、またはゴルフクラブ３０００（図３、６、９）のうちのいずれか１つに類似し得る。
【００３７】
方法１００００は、シャフトベンドを受容するように、およびゴルフクラブのゴルフクラブヘッドのホーゼルに連結するように構成されるシャフトを提供するための、ブロック１０１００を含む。いくつかの実施例では、ゴルフクラブヘッドは、ゴルフクラブヘッド１１００（図１〜９）に類似し得、シャフトは、ゴルフクラブ１０００（図１、４、７）、ゴルフクラブ２０００（図２、５、８）、またはゴルフクラブ３０００（図３、６、９）の、シャフト１２００（図１〜９）に類似し得る。同じまたは他の実施例では、かかるホーゼルがゴルフクラブヘッドの完全に内側であるか、または少なくとも部分的に外側であるかに関わらず、シャフトは、ホーゼル１１１０（図１〜９）に類似するホーゼルを介して、ゴルフクラブヘッドに連結し得る。同様に、同じまたは他の実施例では、求められる実施の種類に依存して、シャフトベンドは、シャフトベンド１００（図１、４、７）、シャフトベンド２００（図２、５、８）、またはシャフトベンド３００（図３、６、９）のうちのいずれか１つに類似し得る。
【００３８】
方法１００００は、シャフトのシャフト長さに沿う目標シャフトベンド高さにてシャフトベンドを与えるための、ブロック１０２００もまた含み得る。いくつかの実施例では、目標シャフトベンド高さは、シャフトベンド高さ４１００（図４、７）、シャフトベンド高さ５２００（図５、８）、またはシャフトベンド高さ６３００（図３、６、９）のうちの１つに類似し得る。
【００３９】
いくつかの実施例では、方法１００００のブロック１０２００は、シャフトベンドを介して、ゴルフクラブを、直線ストロークスイングスタイル、若干アークスイングスタイル、または強いアークスイングスタイルのうちの１つを含む、目標スイングスタイルのために構成するための、サブブロック１０２１０を含む。例えば、シャフトベンドは、シャフトベンド高さの範囲内、および／または、シャフトベンド角度の範囲内で画定され得、測定されるスイングスタイルが、図１〜９に関して上記の、直線ストロークスイングスタイル、若干アークスイングスタイル、または強いアークスイングスタイルのいずれを含むかに関わらず、ゴルフクラブが、適合される個人の測定されるスイングスタイルを補完するための１つ以上のスイング特徴を確立するように構成される。全てのシャフトベンド高さオプションについて同じシャフトベンド角度を信頼しながら、ゴルフクラブの目標スイング特徴が、シャフトベンド高さを固定することによって画定され得る、実施例があり得る。一実施例では、シャフトベンド高さが、シャフトベンド高さ４１００（図４、７）に関して上記の、高いシャフトベンド高さに類似するとき、シャフトベンドは、直線ストロークスイングスタイルのためにゴルフクラブを構成し得る。別の実施例では、シャフトベンド高さが、シャフトベンド高さ５２００（図５、８）に関して上記の、中間シャフトベンド高さに類似するとき、シャフトベンドは、若干アークスイングスタイルのためにゴルフクラブを構成し得る。別の実施例では、シャフトベンド高さが、シャフトベンド高さ６３００（図６、９）に関して上記の、低いシャフトベンド高さに類似するとき、シャフトベンドは、強いアークスイングスタイルのためにゴルフクラブを構成し得る。
【００４０】
同じまたは他の実施例では、方法１００００のブロック１０２００は、シャフトベンドを介して、ゴルフクラブのための目標ハング角度を与えるようにシャフトを構成するための、サブブロック１０２２０もまた含み得る。いくつかの実施では、目標ハング角度は、ハング角度１８００（図１）、ハング角度２８００（図２）、またはハング角度３８００（図３）に類似し得る。同じまたは他の実施では、目標ハング角度は、ゴルフクラブ１０００（図１、４、７）、ゴルフクラブ２０００（図２、５、８）、またはゴルフクラブ３０００（図３、６、９）に関して上記の、フェースバランスハング角度、中間ハングハング角度、またはトウダウンハング角度、のうちの１つを含み得る。
【００４１】
ブロック１０２００において、シャフト上にシャフトベンドを与えることは、ゴルフクラブヘッドの打撃フェースの打撃フェース中心点と、シャフトの有効シャフト軸がクラブヘッド水平面に交差する交差点との間の、所望の交差距離を確立することによってもまた達成され得る。いくつかの実施例では、打撃フェース中心点は、打撃フェース１１５０の打撃フェース中心点４１５０（図４〜９）に類似し得、有効シャフト軸は、シャフト軸４２１１（図４、７）、シャフト軸５２１１（図５、８）、またはシャフト軸６２１１（図６、９）に類似し得る。交差距離は、交差距離４２１５（図４）、５２１５（図５）、または６２１５（図６）に類似し得る。例えば、ブロック１０２００の目標スイングスタイルが、直線ストロークスイングスタイルを含む場合、有効シャフト軸が、交差距離４２１５（図４）に類似する交差距離にて、クラブヘッド水平面に交差するように、シャフトベンドが与えられ得る。別の例としては、ブロック１０２００の目標スイングスタイルが、若干アークスイングスタイルを含む場合、有効シャフト軸が、交差距離５２１５（図５）に類似する交差距離にて、クラブヘッド水平面に交差するように、シャフトベンドが与えられ得る。さらに別の例としては、ブロック１０２００の目標スイングスタイルが、強いアークスイングスタイルを含む場合、有効シャフト軸が、交差距離６２１５（図６）に類似する交差距離にて、クラブヘッド水平面に交差するように、シャフトベンドが与えられ得る。
【００４２】
ブロック１０２００の後、方法１００００は、シャフトをゴルフクラブヘッドのホーゼルに連結するための、ブロック１０３００をさらに含み得る。例えば、連結の結果は、図１〜９に示されるものに類似し得る。
【００４３】
いくつかの実施例では、方法１００００の異なるブロックのうちの１つ以上が、単一のブロックに組み合され得るもしくは同時に行われ得る、および／または、かかるブロックの順序は変更され得る。例えば、いくつかの実施では、所望の場合、サブブロック１０２１０および１０２２０は組み合わされてよい。同じまたは他の実施では、ブロック１０３００は、ブロック１０２００に先行し得る。方法１００００のブロックのうちのいくつかが、いくつかのサブブロックに細分され得る実施例もまたあり得る。例えば、ブロック１０２００は、シャフトベンドを介して、目標スイングスタイルおよび／または目標ハング角度に基づき、交差距離４２１５（図４）、５２１５（図５）、または６２１５（図６）のうちの１つに類似する交差距離を含むようにゴルフクラブを構成するための、サブブロックをさらに含んでよい。別の例としては、ブロック１０２００は、シャフトベンドを介して、図４〜６の実施例に関して上記の、および目標スイングスタイルまたは目標ハング角度に基づく、交差比率を含むように、ゴルフクラブを構成するための、サブブロックをさらに含んでよい。例えば、ブロック１０２００は、シャフトベンドを介して、目標スイングスタイルまたは目標ハング角度に基づき、ずれ距離７２１６（図７）、８２１６（図８）、または９２１６（図９）のうちの１つに類似するずれ距離を含むように、ゴルフクラブを構成するための、サブブロックをさらに含んでよい。
【００４４】
方法１００００が、さらなるまたは異なるブロックを含み得る実施例もまたあり得る。例えば、方法１００００は、適合される個人のスイングスタイルを測定するための、および／または、適合される個人のスイングスタイルに基づき、ブロック１０２００のシャフトベンドを与えるための、別のブロックを含んでよい。さらに、方法１００００が上記のステップの一部のみを含み得る、実施例があってよい。例えば、ブロック１０３００は、いくつかの実施では任意であってよい。本開示の範囲から逸脱することなく、方法１００００に他の変形が実施され得る。
【００４５】
本明細書内の、カスタマイズ可能ハング角度ゴルフクラブ、システム、および関連方法は具体的実施形態を参照して説明してきたが、本開示の精神または範囲から逸脱することなく、様々な変更がなされてよい。例えば、ゴルフクラブシャフト１２００には、ゴルフクラブのシャフトベンドが、シャフトベンド高さ４１００（図４、７）、シャフトベンド高さ５２００（図５、８）、またはシャフトベンド高さ６３００（図６、９）の間で調節可能になることを可能にするために、伸縮機構が提供され得る。さらに、シャフトベンド１００（図１、４、７）、２００（図２、５、８）、または３００（図３、６、９）の、いくつかの実施は、同じシャフトベンド角度を備えると上記されてきたが、シャフトベンド１００、２００、および３００のシャフトベンド角度が、互いに異なり得る実施例があり得る。
【００４６】
かかる変更および他の追加の実施例は、前述の説明において述べられた。様々な図面の特徴のうちの１つ以上を有する、異なる実施形態の他の順列が、同様に企図される。したがって、本明細書の明細書、請求項、および図面は、本開示の範囲の例示を意図し、制限することを意図するものではない。本出願の範囲は、添付の請求項により必要とされる程度にのみ限定され得る。
【００４７】
本明細書に記載の、カスタマイズ可能ハング角度ゴルフクラブ、システム、および関連方法は、様々な実施形態で実施され得、特定のこれらの実施形態の、前述の記述は、必ずしもすべての可能な実施形態の完全な説明を表すものではない。むしろ、図面の詳細な説明および図面自体は、少なくとも１つの好適な実施形態を開示し、代替の実施形態を開示し得る。
【００４８】
任意の特定の請求項で請求される全ての要素は、その特定の請求項で請求される実施形態に必須である。結果的に、１つ以上の請求される要素の置換は、修正ではなく再構成を引き起こす。さらに、利益、他の利点、および問題への解決策は、具体的実施形態に関して記載されてきた。利益、利点、問題への解決策、および、任意の利益、利点、または解決策を、生じさせるまたはより明確にする、任意の要素または要素（複数）は、かかる利益、利点、解決策、または要素がかかる請求項において明示的に述べられない限り、請求項のいずれかまたはすべての、決定的、必要、または必須の特性または要素として解釈されるべきではない。
【００４９】
ゴルフのルールが時折変更し得る（例えば、米国ゴルフ協会（ＵＳＧＡ）、Ｒｏｙａｌ  ａｎｄ  Ａｎｃｉｅｎｔ  Ｇｏｌｆ  Ｃｌｕｂ  ｏｆ  Ｓｔ．Ａｎｄｒｅｗｓ（Ｒ＆Ａ）等の、ゴルフ標準組織および／または管理組織によって、新しい規定が採用され得るまたは古いルールが削除または修正され得る）ため、本明細書に記載の装置、方法、および製造物品に関連するゴルフ用品は、任意の特定の時間に、ルールに準拠するまたは準拠しないことがある。したがって、本明細書に記載する装置、方法、および製造物品に関連するゴルフ用品は、準拠または非準拠ゴルフ用品として、広告、売り出し、および／または販売され得る。本明細書に記載の装置、方法、および製造物品は、この点において限定されない。
【００５０】
上記の実施例が、パタータイプのゴルフクラブとの関連で記載され得る一方で、本明細書に記載の装置、方法、および製造物品は、ドライバータイプのゴルフクラブ、フェアウェイウッドタイプのゴルフクラブ、ハイブリッドタイプのゴルフクラブ、アイアンタイプのゴルフクラブ、またはウェッジタイプのゴルフクラブ等の、他のタイプに適用可能であり得る。あるいは、本明細書に記載の装置、方法、および製造物品は、ホッケースティック、テニスラケット、釣竿、スキーポール等の、他の種類のスポーツ用品に適用可能であり得る。
【００５１】
さらに、本明細書に開示の実施形態および限定は、実施形態および／または限定が、（１）請求項において明示的に請求されない、および（２）均等論下で、請求項において明示の要素および／または限定に同等であるまたは潜在的に同等である場合、均等論下で、公にささげられない。
以下の項目は、国際出願時の特許請求の範囲に記載の要素である。
（項目１）
ゴルフクラブであって、
クラブヘッドであって、
ヒール部分と、トウ部分と、ホーゼルと、
打撃フェース中心点を備える打撃フェースと、
前記打撃フェース中心点を通って延在するクラブヘッド水平面と、を備えるクラブヘッドと、
前記ホーゼルに連結するシャフトであって、
シャフトホーゼル端を備えるシャフト下方部分と、
シャフトグリップ端を備えるシャフト上方部分と、を備えるシャフトと、
前記シャフト上方部分の中心線に沿って延在する有効シャフト軸と、を備える、ゴルフクラブであって、
前記シャフトが、
直線ストロークスイングスタイルに対応する第１のベンドか、
若干アークスイングスタイルに対応する第２のベンドか、または
強いアークスイングスタイルに対応する第３のベンドのうちのいずれか１つを備えるシャフトベンドを、受容し保持するように構成され、
前記シャフトベンドは、前記シャフトの長さに沿い、前記シャフト上方部分と前記シャフト下方部分との間で位置付け可能であり、
前記シャフトベンドは、前記クラブヘッド水平面の上にシャフトベンド高さを備え、
前記クラブヘッド水平面は、
前記有効シャフト軸の垂直構成部品に実質的に垂直であるか、または
前記クラブヘッドがアドレス位置にあるときに地面に実質的に平行であるか、のうちの少なくとも１つである、ゴルフクラブ。
（項目２）
前記直線ストロークスイングスタイルが、約０度〜約３．５度の直線ストロークスイング回転を含み、
前記若干アークスイングスタイルが、約３．５度〜約７．５度の若干アークスイング回転を含み、
前記強いアークスイングスタイルが、約７．５度より大きい強いアークスイング回転を含み、
前記有効シャフト軸の前記垂直構成部品が、
前記クラブヘッドの前記ホーゼルの上部端か、
前記打撃フェースの上部端か、または
前記クラブヘッドがアドレス位置にあるときの前記地面、のうちの少なくとも１つに実質的に垂直である、項目１に記載のゴルフクラブ。
（項目３）
前記シャフトベンドが個人の測定されたスイングスタイルに対応し、前記測定されたスイングスタイルが、前記個人の１つ以上の測定されたゴルフスイングに基づき、前記直線ストロークスイングスタイル、前記若干アークスイングスタイル、または前記強いアークスイングスタイルのうちの１つに相関し、
前記ゴルフクラブがパターである、項目１〜２のいずれか一項に記載のゴルフクラブ。
（項目４）
前記シャフトが前記シャフトベンドを受容するように構成されるため、
前記直線ストロークスイングスタイルについては、前記第１のベンドの前記シャフトベンド高さが、高いベンド高さを備え、
前記若干アークスイングスタイルについては、前記第２のベンドの前記シャフトベンド高さが、中間ベンド高さを備え、
前記強いアークスイングスタイルについては、前記第３のベンドの前記シャフトベンド高さが、低いベンド高さを備え、
前記高いベンド高さが前記中間ベンド高さよりも大きく、
前記中間ベンド高さが前記低いベンド高さよりも大きい、項目のいずれか一項に記載のゴルフクラブ。
（項目５）
前記シャフトが、前記第１のベンドを前記高いベンド高さで備える場合、
前記ゴルフクラブがフェースバランスハング角度を備え、
前記シャフトが前記第２のベンドを前記中間ベンド高さで備える場合、
前記ゴルフクラブが中間ハングハング角度を備え、
前記シャフトが前記第３のベンドを前記低いベンド高さで備える場合、
前記ゴルフクラブがトウダウンハング角度を備える、項目４に記載のゴルフクラブ。
（項目６）
前記シャフトベンドが前記直線ストロークスイングスタイルに対応する場合、
前記ゴルフクラブがフェースバランスハング角度を備え、
前記シャフトベンドが前記若干アークスイングスタイルに対応する場合、
前記ゴルフクラブが中間ハング角度を備え、
前記シャフトベンドが前記強いアークスイングスタイルに対応する場合、
前記ゴルフクラブがトウダウンハング角度を備える、項目１〜４のいずれか一項に記載のゴルフクラブ。
（項目７）
前記クラブヘッドがブレードタイプのパターヘッドを備える場合、
前記フェースバランスハング角度が、約１６度未満であり、
前記中間ハングハング角度が、約１６度〜約４８度であり、
前記トウダウンハング角度が、約４８度より大きく、
前記クラブヘッドがマレットタイプのパターヘッドを備える場合、
前記フェースバランスハング角度が、約７度未満であり、
前記中間ハングハング角度が、約７度〜約２３度であり、
前記トウダウンハング角度が、約２３度より大きい、項目６に記載のゴルフクラブ。
（項目８）
前記シャフトが前記直線ストロークスイングスタイルのために構成される場合、
前記シャフトベンド高さが、前記クラブヘッド水平面の上約９５ｍｍより高く、
前記シャフトが前記若干アークスイングスタイルのために構成される場合、
前記シャフトベンド高さは、前記クラブヘッド水平面の上約７０ｍｍ〜約１００ｍｍであり、
前記シャフトが前記強いアークスイングスタイルのために構成される場合、
前記シャフトベンド高さは、前記クラブヘッド水平面の上約８５ｍｍ未満である、項目１〜７のいずれか一項に記載のゴルフクラブ。
（項目９）
前記シャフトが前記直線ストロークスイングスタイルのために構成される場合、
前記有効シャフト軸が、前記打撃フェース中心点から第１の交差距離にて、前記クラブヘッド水平面と交差し、
前記シャフトが前記若干アークスイングスタイルのために構成される場合、
前記有効シャフト軸が、前記打撃フェース中心点から第２の交差距離にて、前記クラブヘッド水平面と交差し、前記第２の距離は前記第１の距離よりも大きく、
前記シャフトが前記強いアークスイングスタイルのために構成される場合、
前記有効シャフト軸が、前記打撃フェース中心点から第３の交差距離にて、前記クラブヘッド水平面と交差し、前記第３の距離は前記第２の距離より大きい、項目１〜８のいずれか一項に記載のゴルフクラブ。
（項目１０）
前記第１の交差距離は、約１．８ｍｍ未満であり、
前記第２の交差距離は、約１．８ｍｍ〜約１６．５ｍｍであり、
前記第３の交差距離は、約１６．５ｍｍより大きい、項目９に記載のゴルフクラブ。
（項目１１）
前記クラブヘッドが、
前記ヒールおよびトウ部分の反対端間のクラブヘッド長さを備え、
前記シャフトが前記直線ストロークスイングスタイルのために構成される場合、
前記第１の交差距離と前記クラブヘッド長さとの間の、第１の交差比率が、約０．０５未満であり、
前記シャフトが前記若干アークスイングスタイルのために構成される場合、
前記第２の交差距離と前記クラブヘッド長さとの間の、第２の交差比率が、約０．０５〜約０．１５５であり、
前記シャフトが前記強いアークスイングスタイルのために構成される場合、
前記第３の交差距離と前記クラブヘッド長さとの間の、第３の交差比率が、約０．１５５より大きい、項目９〜１０のいずれか一項に記載のゴルフクラブ。
（項目１２）
前記シャフトベンドが、前記シャフト上方部分と前記シャフト下方部分との間のシャフトベンド角度を画定し、
前記シャフトベンドが、前記直線ストロークスイングスタイルのための前記第１のベンド、前記若干アークスイングスタイルのための前記第２のベンド、または前記強いアークスイングスタイルのための前記第３のベンドの、どれを備えるかに関わらず、前記シャフトベンド角度が同じである、項目１〜１１のいずれか一項に記載のゴルフクラブ。
（項目１３）
前記シャフトベンド角度が、約１４６度〜約１７４度である、項目１２に記載のゴルフクラブ。
（項目１４）
前記ホーゼルが、前記シャフト下方部分を、
前記シャフト下方部分と前記打撃フェースでの前記クラブヘッド水平面との間のシャフト対打撃フェース角度、かつ前記クラブヘッド水平面に非垂直、または、
前記シャフト下方部分と前記ヒール部分での前記クラブヘッド水平面との間のシャフト対ヒール角度、かつ前記クラブヘッド水平面に非垂直、のうちの少なくとも１つに位置付けるように構成される、項目１〜１３のいずれか一項に記載のゴルフクラブ。
（項目１５）
前記シャフト対打撃フェース角度が鋭角である、項目１４に記載のゴルフクラブ。
（項目１６）
前記シャフト対打撃フェース角度が約７０度〜約１００度であり、
前記シャフト対ヒール角度が約１０５度〜約７５度である、項目１４に記載のゴルフクラブ。
（項目１７）
前記シャフトが前記第１のベンドを備える場合、
前記有効シャフト軸が、前記打撃フェースから、第１のずれ距離でずらされ、
前記シャフトが前記第２のベンドを備える場合、
前記有効シャフト軸が、前記打撃フェースから、第２のずれ距離でずらされ、
前記シャフトが前記第３のベンドを備える場合、
前記有効シャフト軸が、前記打撃フェースから、第３のずれ距離でずらされ、
前記第１のずれ距離が前記第２のずれ距離より大きく、
前記第２のずれ距離が前記第３のずれ距離より大きく、
前記第１、第２、および第３のずれ距離が、前記打撃フェース中心点にて前記打撃フェースに垂直で、前記ゴルフクラブの前方を向く、正のずれ方向に対して測定される、項目１〜１６のいずれか一項に記載のゴルフクラブ。
（項目１８）
ゴルフクラブシステムであって、
第１のゴルフクラブのための第１のクラブヘッドであって、
第１のホーゼルと、
第１の打撃フェース中心点を伴う第１の打撃フェースと、
前記第１の打撃フェース中心点を通る第１のクラブヘッド水平面と、を備える第１のクラブヘッドと、
前記第１のゴルフクラブのための第１のシャフトであって、
前記第１のクラブヘッド水平面の上の、第１のベンド高さに位置付けられる、第１のシャフトベンドを備える、第１のシャフトと、
第２のゴルフクラブのための第２のクラブヘッドであって、
第２のホーゼルと、
第２の打撃フェース中心点を伴う第２の打撃フェースと、
前記第２の打撃フェース中心点を通る第２のクラブヘッド水平面と、を備える第２のクラブヘッドと、
前記第２のゴルフクラブのための第２のシャフトであって、
前記第２のクラブヘッド水平面の上の、第２のベンド高さに位置付けられる、第２のシャフトベンドを備える、第２のシャフトと、を備えるゴルフクラブシステムであって、
前記第１および第２のクラブヘッドは互いに実質的に等しく、
前記第１および第２のシャフトベンド高さは、互いに異なり、
前記第１および第２のシャフトは、前記第１および第２のベンド高さに関してを除き、互いに実質的に等しく、
前記第１のシャフトベンドは、前記第１のゴルフクラブに第１のハング角度を与えるように構成され、前記第１のハング角度は、
フェースバランスハング角度か、
中間ハング角度か、または
トウダウンハング角度のうちの、第１のものを含み、
前記第２のシャフトベンドは、前記第２のゴルフクラブに第２のハング角度を与えるように構成され、前記第２のハング角度は、前記第１のハング角度とは異なり、
前記フェースバランスハング角度か、
前記中間ハング角度か、または、
前記トウダウンハング角度のうちの、第２のものを含む、ゴルフクラブシステム。
（項目１９）
前記第１のハング角度が、
直線ストロークスイングスタイルか、
若干アークスイングスタイルか、または、
強いアークスイングスタイルのうちの、第１のものに対応し、
前記第２のハング角度が、
前記直線ストロークスイングスタイルか、
前記若干アークスイングスタイルか、または、
前記強いアークスイングスタイルのうちの、第２のものに対応し、
前記第１のシャフトベンドが第１のシャフトベンド角度を備え、
前記第２のシャフトベンドが第２のシャフトベンド角度を備え、
前記第１および第２のシャフトベンド角度が互いに等しい、項目１８に記載のゴルフクラブシステム。
（項目２０）
第３のゴルフクラブのための第３のクラブヘッドであって、
第３のホーゼルと、
第３の打撃フェース中心点を伴う第３の打撃フェースと、
第３の打撃フェース中心点を通る第３のクラブヘッド水平面と、を備える第３のクラブヘッドと、
前記第３のゴルフクラブのための第３のシャフトであって、
前記第３のクラブヘッド水平面の上の、第３のベンド高さに位置付けられる、第３のシャフトベンドを備える、第３のシャフトと、を備えるゴルフクラブシステムであって、
前記第１、第２、および第３のクラブヘッドは互いに実質的に等しく、
前記第１、第２、および第３のシャフトベンド高さは、互いに異なり、
前記第１、第２、および第３のシャフトは、前記第１、第２、および第３のベンド高さに関してを除き、互いに実質的に等しく、
前記第３のシャフトベンドは、前記第３のゴルフクラブに第３のハング角度を与えるように構成され、前記第３のハング角度は、前記第１および第２のハング角度とは異なり、
前記フェースバランスハング角度か、
前記中間ハング角度か、または、
前記トウダウンハング角度のうちの、第３のものを含む、項目１８〜１９のいずれか一項に記載のゴルフクラブシステム。
（項目２１）
ゴルフクラブを提供する方法であって、
シャフト長さを備え、クラブヘッドのホーゼルに連結するように構成される、シャフトを提供することと、
前記シャフト長さに沿い、目標シャフトベンド高さにて、シャフトベンドを与えることと、を含み、
前記目標シャフトベンド高さが、
直線ストロークスイングスタイルか、
若干アークスイングスタイルか、または、
強いアークスイングスタイルのうちの、１つを含む、目標スイングスタイルに対応し、
前記目標シャフトベンド高さは、前記シャフトベンドにてクラブヘッド水平面に対して測定され、
前記クラブヘッド水平面は、前記クラブヘッドの打撃フェース中心点を通過し、かつ、
前記シャフトによって画定される有効シャフト軸の垂直構成部品に実質的に垂直であるか、または、
前記クラブヘッドがアドレス位置にあるときに地面に実質的に平行であるか、のうちの少なくとも１つである、方法。
（項目２２）
前記シャフトベンドを与えることの前に、前記クラブヘッドの前記ホーゼルに、前記シャフトを連結することをさらに含む、項目２１に記載の方法。
（項目２３）
個人の１回以上の測定されたゴルフスイングに基づき、前記個人の前記シャフト上に前記シャフトベンドを与えることの前に、前記個人の前記目標スイングスタイルを決定することをさらに含む、項目２１〜２２のいずれか一項に記載の方法。
（項目２４）
前記強いアークスイングスタイルについては、前記目標シャフトベンド高さが、低いシャフトベンド高さを備え、
前記若干アークスイングスタイルについては、前記目標シャフトベンド高さが、前記低いシャフトベンド高さより大きい、中間シャフトベンド高さを備え、
前記直線ストロークスイングスタイルについては、前記目標シャフトベンド高さが、前記中間シャフトベンド高さより高い、高いシャフトベンド高さを備える、項目２１〜２３のいずれか一項に記載の方法。
（項目２５）
前記シャフトベンドを与えることが、
前記目標シャフトベンド高さが前記高いシャフトベンド高さを備える場合、前記ゴルフクラブをフェースバランスハング角度に構成すること、
前記目標シャフトベンド高さが前記中間シャフトベンド高さを備える場合、前記ゴルフクラブを中間ハング角度に構成すること、
前記目標シャフトベンド高さが前記低いシャフトベンド高さを備える場合、前記ゴルフクラブをトウダウンハング角度に構成すること、を含む、項目２４に記載の方法。
（項目２６）
前記クラブヘッドがマレットタイプのパターヘッドを備える場合、
前記フェースバランスハング角度が、約１６度未満であり、
前記中間ハング角度が、約１６度〜約４８度であり、
前記トウダウンハング角度が、約４８度より大きく、
前記クラブヘッドがブレードタイプのパターヘッドを備える場合、
前記フェースバランスハング角度が、約７度未満であり、
前記中間ハングハング角度が、約７度〜約２３度であり、
前記トウダウンハング角度が、約２３度より大きい、項目２５に記載の方法。
（項目２７）
前記シャフトベンドがシャフトベンド角度を画定し、
前記シャフトベンド高さが、前記低いシャフトベンド高さ、前記中間シャフトベンド高さ、または前記高いシャフトベンド高さの、どれを備えるかに関わらず、前記シャフトベンド角度は同一であり、
前記シャフトベンド角度が、約１４６度〜約１７４度であり、
前記直線ストロークスイングスタイルが、約０度〜約３．５度のスイング回転を含み、
前記若干アークスイングスタイルが、約３．５度〜約７．５度のスイング回転を含み、
前記強いアークスイングスタイルが、約７．５度より大きいスイング回転を含み、
前記高いシャフトベンド高さが、前記クラブヘッド水平面の上約９５ｍｍより高く、
前記中間シャフトベンド高さが、前記クラブヘッド水平面の上約７０ｍｍ〜約１００ｍｍであり、
前記低いシャフトベンド高さが、前記クラブヘッド水平面の上約８５ｍｍ未満である、項目２４〜２６のいずれか一項に記載の方法。
（項目２８）
前記シャフトベンドを与えることが、
前記シャフトベンドを、
シャフトホーゼル端を備えるシャフト下方部分と、
シャフトグリップ端を備えるシャフト上方部分との間に与えることであって、前記有効シャフト軸が前記シャフト上方部分の中心線に沿って延在する、与えることと、
前記シャフトが前記ホーゼルに連結すると、
前記目標スイングスタイルが、前記直線ストロークスイングスタイルを含む場合、
前記有効シャフト軸が、前記打撃フェース中心点から第１の交差距離にて、前記クラブヘッド水平面と交差し、
前記目標スイングスタイルが前記若干アークスイングスタイルを含む場合、
前記有効シャフト軸が、前記打撃フェース中心点から第２の交差距離にて、前記クラブヘッド水平面と交差し、
前記第２の距離は前記第１の距離よりも大きく、
前記目標スイングスタイルが前記強いアークスイングスタイルを含む場合、
前記有効シャフト軸が、前記打撃フェース中心点から第３の距離にて、前記クラブヘッド水平面と交差し、
前記第３の距離が前記第２の距離よりも大きくなるように、シャフトベンドを与えることと、を含む、項目２１〜２７のいずれか一項に記載の方法。
（項目２９）
前記目標スイングスタイルが、前記直線ストロークスイングスタイルを含む場合、
前記打撃フェース中心点からの前記第１の交差距離が約１．８ｍｍ未満であり、
前記目標スイングスタイルが前記若干アークスイングスタイルを含む場合、
前記打撃フェース中心点からの前記第２の交差距離が約１．８ｍｍ〜約１６．５ｍｍであり、
前記目標スイングスタイルが前記強いアークスイングスタイルを含む場合、
前記打撃フェース中心点からの前記第３の交差距離が約１６．５ｍｍより大きい、項目２８に記載の方法。
（項目３０）
前記目標スイングスタイルが、前記直線ストロークスイングスタイルを含む場合、
前記第１の交差距離と、前記クラブヘッドのヒールおよびトウ端の間に延在するクラブヘッド長さとの間の、第１の交差比率が、約０．０５未満であり、
前記目標スイングスタイルが前記若干アークスイングスタイルを含む場合、
前記第２の交差距離と前記クラブヘッド長さとの間の、第２の交差比率が、約０．０５〜約０．１５５であり、
前記目標スイングスタイルが前記強いアークスイングスタイルを含む場合、
前記第３の交差距離と前記クラブヘッド長さとの間の、第３の交差比率が、約０．１５５より大きい、項目２８〜２９のいずれか一項に記載の方法。
【図１】
0006320396.tif 000002
【図２】
0006320396.tif 000003
【図３】
0006320396.tif 000004
【図４】
0006320396.tif 000005
【図５】
0006320396.tif 000006
【図６】
0006320396.tif 000007
【図７】
0006320396.tif 000008
【図８】
0006320396.tif 000009
【図９】
0006320396.tif 000010
【図１０】
0006320396.tif 000011